(57)【要約】【課題】廃棄処理に問題のない紙製のハンガーを提供する。【解決手段】パンツやスカーフ等を引っ掛けて保持するためのスリット部１１を有する紙製ハンガーであって、頂部に紙製の吊り下げ紐５ａが設けられており、該吊り下げ紐５ａが紙製の吊り下げ部６又は吊り下げ具で吊り下げ可能となっている。スリット部１１は２本の紙管１ａ、１ｂを使用して形成されても、また厚紙からなるハンガー本体に、直接開口して形成されたり、紙管を紐で吊り下げて形成されてもよい。なお、紙管の表面や厚紙からなるハンガー本体の裏面等に消臭性、抗菌性等の機能性を持たせてもよい。【選択図】　図１
2004000400.tif 000002
【特許請求の範囲】
【請求項１】
パンツやスカーフ等を引っ掛けて保持するためのスリット部を有する紙製ハンガーであって、頂部に紙製の吊り下げ紐が設けられており、該吊り下げ紐が、紙製の吊り下げ手段で吊り下げ可能となっていることを特徴とする紙製ハンガー。
【請求項２】
２本の紙管を、前記スリット部を形成するように、一定間隔を開けて上下平行になるように連結し、上方の紙管を通した紐で、つり下げ可能としたものであり、上方の紙管の左右端から突出し、上方に環を形成する前記紐の長さが、上方の紙管の長さの１．２〜１．８倍の長さである請求項１の紙製ハンガー。
【請求項３】
上方の紙管の周囲にクッション性ある紙が巻き付けられている請求項２に記載の紙製ハンガー。
【請求項４】
少なくとも下方の紙管の周囲に抗菌性、消臭性又はマイナスイオン効果を生ずる加工をした紙が巻き付けられている請求項２又は３の紙製ハンガー。
【請求項５】
防水剤を含浸させた厚紙を切り抜いて形成されたハンガー本体と、該ハンガー本体の上辺中央部に取付けられた吊り下げ紐からなるものであり、ハンガー本体の中央部にパンツ等の吊り下げ可能なスリット部が設けられている請求項１の紙製ハンガー。
【請求項６】
防水剤を含浸させた厚紙を切り抜いて形成されたハンガー本体の上辺中央部に吊り下げ紐か取付けられており、かつ、紙管が、前記ハンガー本体と平行し、その間に前記スリット部を形成するように、紙紐で吊り下げられている請求項１の紙製ハンガー。
【請求項７】
前記紙管に、前記紙紐で、追加の紙管が平行となるように取り付けられていることを特徴とする請求項６の紙製ハンガー。
【請求項８】
前記ハンガー本体の裏面及び／又は前記紙管表面に、抗菌性、消臭性又はマイナスイオン効果を生ずる加工をした紙が取り付けられている請求項５〜８いずれか１項の紙製ハンガー。
【請求項９】
前記吊り下げ紐が、一端は厚紙の表面に結び目が存在し、他端は厚紙の裏面に結び目が存在するように取付けされている請求項５〜８のいずれか１項の紙製ハンガー。
【請求項１０】
請求項１〜９の紙製ハンガーの吊り下げ具であって、厚紙を実質的にＣ字型に切り抜いたものであって、その開口部下辺に、前記紐を引っ掛けるための溝が形成されていることを特徴とする吊り下げ具。
【発明の詳細な説明】
【０００１】
【発明の属する技術分野】
本発明は、紙製ハンガーに関する。
【０００２】
【従来の技術】
衣料店、クリーニング屋などにおいて、非常に多くのハンガーが使用されているが、それらは金属やプラスチックを含むものがほとんどであり、その廃棄処理は、環境を汚染する恐れがあるとして、問題になっている。
【０００３】
【発明が解決しようとする課題】
本発明は、廃棄処理に問題のない紙を使用した、リサイクル可能で環境に優しいハンガーを提供することを課題とする。
【０００４】
【課題を解決するための手段】
本発明のハンガーは、パンツやスカーフ等を引っ掛けて保持するためのスリット部を有する紙製ハンガーであって、頂部に紙製の吊り下げ紐が設けられており、該吊り下げ紐が、紙製の吊り下げ手段で吊り下げ可能となっていることを特徴とする。
【０００５】
このハンガーは、２本の紙管を、前記スリット部を形成するように、一定間隔を開けて上下平行になるように連結し、上方の紙管を通した紐で、つり下げ可能としたものであり、上方の紙管の左右端から突出し、上方に環を形成する前記紐の長さが、上方の紙管の長さの１．２〜１．８倍の長さであるように形成することができ、この場合、紐の上から、紙管上に衣服を掛けて使用するものであるが、この紐が吊り下げ紐として機能し、しかも、上方の紙管の両端から適当な長さで環をなすように取付けられているため、紙管が直線状であっても、ハンガーに掛けた衣服の襟元から肩にかけて、適度の角度で、安定して保持しうることととなり、衣服を型崩れさすことなく、非常に効率よく、収納可能となる。
【０００６】
紙管の外径は１．２〜２．５ｃｍ、特に１．５〜２．０ｃｍ程度であるのが好ましく、その外周には、クッション材や、機能性あるシートを巻き付けてもよい。更に、紙管の長さは、２５〜５０ｃｍ、特に３３〜４５ｃｍ程度であるのが好ましい。上下の紙管の長さは同一であっても、異なってもよいが、通常下方の紙管を若干短く構成するのが扱い易い。
【０００７】
本発明では、特に衣服の型崩れを防止するため、上方の紙管の周囲にクッション性ある紙を巻き付けるのが好ましい。例えば、緩衝材として使用されている再生紙を５枚以上巻き付けることにより、クッション性に優れ、外観的にも問題のないハンガーとなすことができる。
【０００８】
更に、下方の紙管には、抗菌性、消臭性又はマイナスイオン効果を生ずる加工をした紙を巻き付け、ハンガーに、より優れた機能性を付与するようにしてもよい。この場合、上下の紙管を覆う紙類に捺染加工等により、彩色して意匠性を高めることもできる。
【０００９】
本発明の異なる例としては、防水剤を含浸させた厚紙を切り抜いて形成されたハンガー本体の上辺中央部に吊り下げ紐を取付け、ハンガー本体の中央部にパンツ等の吊り下げ可能なスリット部が設けてもよい。また、この変形例として、防水剤を含浸させた厚紙を切り抜いて形成されたハンガー本体の上辺中央部に吊り下げ紐を取付け、かつ、紙管を、ハンガー本体と平行し、その間に前記スリット部を形成するように、紙紐で吊り下げたものとしてもよい。
【００１０】
なお、厚紙からなるハンガー本体に吊り下げた前記紙管には、更に、紙紐で、追加の紙管を平行となるように取り付けてもよい。
【００１１】
かかる例では、ハンガー本体の裏面及び／又は前記紙管表面に、抗菌性、消臭性又はマイナスイオン効果を生ずる加工をした紙を取り付けるのが好ましい。
【００１２】
更に、厚紙からなるハンガー本体に取り付ける吊り下げ紐は、使用時に、ハンガー本体の位置が安定して保たれるように、一端は厚紙の表面に結び目が存在し、他端は厚紙の裏面に結び目が存在するように取付けるのが好ましい。
【００１３】
これらの例では、厚紙からなるハンガー本体の山形の肩部に衣服を掛け、スリット部（板紙に設けた開口部又はハンガー本体とそれに吊り下げられた紙管の間の空間）に、パンツやスカーフ等を引っ掛けて使用するものであり、全体に紙製であるため、環境汚染を心配することなく、後処理が可能である。また、板紙及び／又は紙管に抗菌性、消臭性又はマイナスイオン効果を生ずる加工をした紙を使用することにより、このハンガーの使用で、衣服を常に新鮮な状態に保つことが可能となる。
また、平板状の厚紙からなるハンガー本体には、種々の印刷が可能であり、意匠性に優れた又は広告宣伝効果のある製品とすることもできる利点もある。
【００１４】
なお、本発明では、頂部に存在する吊り下げ紐の上端部を環状に結んで、ハンガー吊り下げ具としてもよいが、厚紙を実質的にＣ字型に切り抜き、その開口部下辺に、ハンガーの吊り下げ紐を引っ掛けるための溝を設けたものを、ハンガー吊り下げ具とするのが好ましい。この厚紙からなる平板状の吊り下げ具は、ハンガーの取り扱いをよい簡便とすることができるだけでなく、本発明のハンガー同様、環境問題を生ずることなく、リサイクル可能であり、更に、種々の印刷が可能であるため、広告宣伝効果ある物品として非常に有効なものとなる。
【００１５】
【発明の実施の形態】
次に本発明の実施例を図面に従って説明するが、これにより本発明の技術的範囲が限定されるものではない。
図１のハンガーは、まず、外径１．７ｃｍ、内径１．２ｃｍの紙管を、長さ４０ｃｍと３７ｃｍに裁断し、長さ４０ｃｍの紙管１ａには、緩衝材２として使用される再生紙を１０枚巻き付け、その上をクラフト紙３で覆い、長さ３７ｃｍの紙管１ｂは、消臭剤をドット状に付着させ、かつ抗菌剤を含浸させたプリント紙４で覆い、これら紙管１ａと１ｂを上下に約４ｃｍの間隔を空けて平行に位置するように紙紐５を通して連結したものであり、上方の紙管１ａ（緩衝材２で覆った長さ４０ｃｍの紙管）に、１１０ｃｍの紙紐を通し、頂部に長さ約４ｃｍの環状吊り下げ部６を形成し、紙管１ａの上方に紙管１ａの長さの約１．５倍の紐を突出させ環７を形成させたものである。
このハンガーは、図２の如く、衣服を掛けて、長時間吊り下げても、衣服に型崩れを生ずることなく、非常に安定した使用できた。また、下方の紙管１ｂに消臭性ある素材を装着しているため、勤務先から帰宅して、このハンガーに衣服を掛けておくと、勤務先のタバコの臭い等が自然に消滅し、新鮮な状態に衣服を保つことができる。更に、虫除け、抗菌効果もあるため、別途防虫剤等を使用しなくても、安定して衣服の長期保存が可能となる。
【００１６】
次に、図３の例は、図１の例と同様の紙管１ａ、１ｂを使用したハンガーで、紙管１ａに紙紐５を通し、紙管１ａの上方に紙管１ａの長さの約１．４倍の紐５を突出させ環７を形成したもので、厚紙からなる吊り下げ具８の溝９に紐５を引っ掛けて、該吊り下げ具８のＣ字型開口部１０を洋服タンスのパイプ等に嵌めて使用するようになっている。
なお、かかる吊り下げ具８の変形例を図４に示すが、該吊り下げ具８は厚紙からなるため、種々の印刷が可能となる。
【００１７】
更に、図５の例は、防水剤を含浸させた厚紙を切り抜いて形成されたハンガー本体Ａの上辺中央部に吊り下げ紐５ｂを取り付けたものであり、ハンガー本体Ａの中央部にパンツ等の吊り下げ可能なスリット部１１が設けられている。なお、ハンガー本体Ａの裏面には、消臭性及び抗菌性あるプリント紙が積層（合紙）されている。また、吊り下げ紐５ｂは　一端の結び目が、ハンガー本体Ａの表面に位置し、他端の結び目がハンガー本体Ａの裏面に位置するように取り付けられている。その結果、吊り下げ具８で、吊り下げられた時、ハンガー本体Ａが不安定に裏返ることなく、定位置に保たれる。
【００１８】
図６の例は、防水剤を含浸させた厚紙を切り抜いて形成されたハンガー本体Ａの上辺中央部に吊り下げ紐５ｂか取付けられており、かつ、紙管１ｃが、ハンガー本体Ａの下にスリット部１１を形成するように、紙紐５ｃで吊り下げられている。なお、吊り下げ紐５ｂや吊り下げ具８の関係は、図５の例と同様であり、紙管１ｃの外周とハンガー本体Ａの裏面には、消臭性及び抗菌性あるプリント紙が積層されている。
【００１９】
図７の例は、防水剤を含浸させた厚紙を切り抜いて形成されたハンガー本体Ａの上辺中央部に吊り下げ紐５ｂか取付けられており、かつ、紙管１ｃが、ハンガー本体Ａの下にスリット部１１を形成するように、紙紐５ｄで吊り下げられているものであるが、この例では、もう一本の紙管１ｄが、紙紐５ｄで平行に位置づけられており、二本の紙管１ｃ、１ｄがいずれも、ネクタイやスカーフ、スカートやパンツ等の吊り下げ用として役立つようになっている。
なお、この例では、二本の紙管１ｃ、１ｄの外周及びハンガー本体Ａの裏面がいずれも、消臭性及び抗菌性あるプリント紙で覆われている。
【００２０】
図５〜７の例はいずれも、紙製であるため、廃棄物処理の問題がなく、リサイクル可能である。更に、厚紙からなるハンガー本体Ａの表面に種々の印刷が可能であるため、意匠性ある、また宣伝広告効果に優れた製品として幅広く使用できる。
【００２１】
【発明の効果】
本発明のハンガーは、全体に再生紙を使用して製造可能であり、自然に優しくかつ安価である。また、このハンガーに、背広やブラウス等の種々の衣服を掛けて使用しても、いずれの場合にも、衣服を型崩れさすことなく、非常に安定して使用できる。更に、ハンガーの紙管等に、消臭性、マイナスイオン発生性、抗菌性、調湿性等の機能性も持たすことによって、このハンガーをより機能性あるものとすることもできる。
なお、本発明のハンガーでは、スリット部にパンツやスカーフ等を保持できるという効果もある。また、ハンガー本体や吊り下げ具に厚紙を使用することにより、それらの表面に印刷して、宣伝広告効果に優れた製品とすることも可能である。
【図面の簡単な説明】
【図１】図１は、本発明のハンガーの一例を示す斜視図である。
【図２】図２は、図１のハンガーの使用状態を示す正面図である。
【図３】図３は、本発明のハンガーの一例の使用状態を示す正面図である。
【図４】図４は、本発明で使用する吊り下げ具の例を示す正面図である。
【図５】図５は、本発明のハンガーの一例を示す表面図と裏面図である。
【図６】図６は、本発明のハンガーの一例を示す表面図と裏面図である。
【図７】図７は、本発明のハンガーの一例を示す表面図と裏面図である。
【符号の説明】
１ａ、１ｂ、１ｃ、１ｄ　　紙管
２　　　　　　　　　　　　緩衝材
３　　　　　　　　　　　　クラフト紙
４　　　　　　　　　　　　プリント紙
５ａ、５ｂ、５ｃ、５ｄ　　紐
６　　　　　　　　　　　　吊り下げ部
７　　　　　　　　　　　　環
８　　　　　　　　　　　　吊り下げ具
９　　　　　　　　　　　　溝
１０　　　　　　　　　　　開口部
１１　　　　　　　　　　　スリット部
Ａ　　　　　　　　　　　　ハンガー本体
【図１】
2004000400.tif 000003
【図２】
2004000400.tif 000004
【図３】
2004000400.tif 000005
【図４】
2004000400.tif 000006
【図５】
2004000400.tif 000007
【図６】
2004000400.tif 000008
【図７】
2004000400.tif 000009